(57)【要約】【課題】６０℃以下の温風で再生する吸湿フィルタで高効率に水を回収し、加湿空気を室内に供給する。【解決手段】空気中の水分を吸湿フィルタ１で吸湿し、水分を吸湿した吸湿フィルタ１を加熱して、水分を室内に供給する加湿装置において、吸湿フィルタ１を通過する吸湿空気をあらかじめ冷却手段１７によって冷却する構成としてあり、吸湿空気を冷却することによって、再生温度が４０℃から６０℃という低温で再生した吸湿フィルタであっても、吸湿と脱離の水分量が効率よく得られ、高効率での吸湿フィルタの水分回収ができる。つまりは高い加湿量が得られる。【選択図】図１
2011196562.tif 000002
【特許請求の範囲】
【請求項１】
吸湿フィルタと、空気中から前記吸湿フィルタに水分を吸湿させたのちに送風の一部もしくはすべてを所定の場所に排出する送風手段と、前記吸湿フィルタを間接あるいは直接的に加熱する加熱手段と、前記加熱手段で加熱した前記吸湿フィルタに通風するための送風手段とを有し、前記空気を前記吸湿フィルタに通風し所定の場所に排出する吸湿風路と前記加熱手段を通気した空気を前記吸湿フィルタに通風する脱離風路とを前記吸湿フィルタが移動する構成とするとともに、前記吸湿風路において前記吸湿フィルタの通気上流側に冷却手段を設け、この冷却手段の冷却温度が前記空気の露点温度以上とした加湿装置。
【請求項２】
冷却手段が、ヒートポンプにおける蒸発器であり、加熱手段がヒートポンプにおける凝縮器であることを特徴とする請求項１記載の加湿装置。
【請求項３】
冷却手段が、ペルチェ素子における吸熱側部分であり、加熱手段がペルチェ素子における放熱側部分であることを特徴とする請求項１記載の加湿装置。
【請求項４】
湿度センサーを前記吸湿風路に備え、前記吸湿センサーの出力に基づいて冷却手段による冷却を制御する制御装置を備えた請求項１乃至３のいずれか１項に記載の加湿装置。
【請求項５】
前記吸湿風路の冷却手段の上流に空気清浄フィルタを備えることを特徴とする請求項１乃至４のいずれか１項に記載の加湿装置。
【発明の詳細な説明】
【技術分野】
【０００１】
本発明は、無給水の加湿装置に関するものである。
【背景技術】
【０００２】
従来、この種の無給水の加湿装置としては、空気中の水分を吸湿フィルタによって吸湿し、水分を吸湿した吸湿フィルタを再生用ヒータによって加熱して、濃縮した水分を回収し室内に供給するようにしたものが知られている（特許文献１）。以下、前記加湿装置の構成を図５とともに説明する。
【０００３】
この加湿装置は、空気中の水分を吸湿する通風孔を有した回転式の吸湿フィルタ１と、前記吸湿フィルタ１に室内空気２を送風する第一送風機３と前記吸湿フィルタ１を通過した乾燥空気を室外に排出する室外送風口４と、前記吸湿フィルタ１を加熱して再生する再生用ヒータ５と、前記再生用ヒータ５と前記吸湿フィルタ１の両方に通風し、室内空気２を送風する第二送風機６と、室内に加湿後の空気を送風する室内送風口７とで構成されている。
【０００４】
この加湿装置８は、室内の空気を第一送風機３にて吸い込み、第一送風機３の風路では吸引した空気は吸湿空気として、空気中の水分が吸湿フィルタ１に吸湿される。また、水分を吸湿され、乾燥した空気は、送風口４より室外に排出される。吸湿フィルタ１はギアモータなどの回転手段９で回転することによって移動し、やがて第二送風機６の風路に入る。第二送風機６の風路では、加湿装置８内の吸湿フィルタ１の通気上流にある再生ヒータ５によって温められて、再生空気となり、再生空気によって吸湿フィルタ１が吸湿した水分は脱離して、送風口７より室内に戻され、結果、室内に加湿空気が送られる。
【０００５】
室外の湿度が低い場合は自然換気によって室内に供給される空気が乾燥するため、室内の湿った空気が室外に逃げてしまい、室内の水分が減少して室内は乾燥する。一方、加湿装置があることにより、室内から排気される空気は水分を取り除かれ、水分が室内に戻されるため、乾燥した空気が自然換気等によって供給されても、室内は、加湿装置がない場合に比べ乾燥しにくい、もしくは加湿される。
【０００６】
また、前記特許文献１に示されている吸湿剤への送風をひとつのファンで行い、それを分割して、一方を吸湿空気とし、他方を再生ヒータに通過させて再生空気としている加湿装置も知られている（特許文献２）。
【先行技術文献】
【特許文献】
【０００７】
【特許文献１】特開平１０−４７７０７号公報
【特許文献２】特開平１０−６１９７７号公報
【発明の概要】
【発明が解決しようとする課題】
【０００８】
しかしながら、上記従来の加湿装置は、ニクロム線などのヒータを使って空気を８０℃以上、好ましくは１００℃以上に加熱して、水分を脱離するものであり、そのため、ヒータの設置およびその周りのスペースが必要なのはもちろんであるが、ヒータで再生するために大きな電力が必要であるという課題も有していた。また、１００℃以上の高温で加熱して脱離するため、得られる高湿度な空気は高温であり、低温の空気と混合させてから、供給する必要があった。そのため、低温で再生しながら加湿量が得られる加湿装置が求め
られていた。
【０００９】
このような要望を満たすものとして、マイクロガスタービンの排熱やヒートポンプの凝縮器などの熱源を用いた低温で再生する加湿装置が見られるが、このような加湿装置であっても低温で再生された吸湿フィルタの吸湿空気中の水分を回収する回収率には限界があった。これは、再生時の再生空気の相対湿度は、高温で再生する場合の再生空気の相対湿度に比べ高く、そのために、吸湿側で吸湿空気の相対湿度が低い場合に吸湿しにくい、もしくは吸湿した空気の相対湿度が下がりきらないためである。
【００１０】
たとえば、２０℃４０％の空気を吸湿し、室外に排気し、４０℃１２％の空気にて再生する（このとき吸湿側と再生側の空気の絶対湿度は同じとする）場合、吸湿される空気は、吸着熱や再生時に温められた吸湿フィルタの熱によって吸湿後には２７〜２８℃になるが、相対湿度が１２％の空気によって再生されているため、水分の吸放湿について温度依存性がまったくない吸着フィルタの場合、吸湿後の空気の相対湿度は１２％までしか下がらない。そのため、吸湿上流空気の絶対湿度と吸湿下流空気の絶対湿度を比較すると、吸湿下流は上流の約５０％の水分を持つ。逆に、フィルタに吸湿される水分は全体の約５０％にとどまってしまう。
【００１１】
そのため、吸湿空気中の水分の回収率が向上する機構が求められている。
【課題を解決するための手段】
【００１２】
前記従来の課題を解決するために本発明は、空気中の水分を吸湿フィルタで吸湿し、水分を吸湿した吸湿フィルタを加熱して、水分を室内に供給する加湿装置において、吸湿フィルタを通過する吸湿空気をあらかじめ冷却手段によって冷却し、吸湿空気の比エンタルピーを低下させることで、同じ水分量の吸湿空気であっても、吸湿空気中の水分の回収率を向上し加湿効率の高い加湿装置を提供するものである。
【発明の効果】
【００１３】
本発明の無給水の加湿装置においては、吸湿空気を冷却することによって、再生温度が４０℃から６０℃という低温で再生した吸湿フィルタであっても、吸湿と脱離の水分量が効率よく得られ、高効率での吸湿フィルタの水分回収ができる。つまりは高い加湿量が得られる。
【００１４】
そして、水分を吸湿した吸湿フィルタが低温の熱源、例えば６０℃以下の温風によっても水分を脱離することができるため、エネルギー効率のよいヒートポンプ暖房や、燃料電池の排熱や、ガスタービンの排熱などの熱源を利用することができ、そのためヒータで再生する無給水の加湿装置より省エネ性を向上させることができる。また、６０℃以下の低温で脱離するため、得られる空気温度も低くなり、そのまま加湿空気として装置外に供給できる。
【図面の簡単な説明】
【００１５】
【図１】本発明の実施の形態１における加湿装置の概略図
【図２】本発明の実施の形態１におけるコルゲートハニカム形状吸湿フィルタの概略図
【図３】本発明の実施の形態２における加湿装置の概略図
【図４】本発明の実施の形態３における加湿装置の概略図
【図５】従来の加湿装置の概略図
【発明を実施するための形態】
【００１６】
第１の発明は、吸湿フィルタと、空気中から前記吸湿フィルタに水分を吸湿させたのち
に送風の一部もしくはすべてを所定の場所に排出する送風手段と、前記吸湿フィルタを間接あるいは直接的に加熱する加熱手段と、前記加熱手段で加熱した前記吸湿フィルタに通風するための送風手段とを有し、前記空気を前記吸湿フィルタに通風し所定の場所に排出する吸湿風路と前記加熱手段を通気した空気を前記吸湿フィルタに通風する脱離風路とを前記吸湿フィルタが移動する構成とするとともに、前記吸湿風路において前記吸湿フィルタの通気上流側に冷却手段を設け、この冷却手段の冷却温度が前記空気の露点温度以上とした加湿装置であり、吸湿フィルタが吸湿風路と脱離風路を交互に入れ替わることによって、排出される空気中の水分を吸湿フィルタが吸湿し、これを脱離風路にて再生し、水を出すことで、加湿された空気を供給することができるとともに、当該加湿空気は冷却手段によって冷却し、しかも、当該加湿用空気は露点温度以上となるように設定してあるから、吸湿フィルタから水分を脱離させる空気の温度が低くても効率よく水分脱離させることができる上に冷却装置に結露することによって生じるロスも防止し、高湿度な空気が高い効率で実現、すなわち効率のよい加湿が行える。また、結露していったん液体になったものを、加湿させようとする、すなわち蒸発させようとすると液体を蒸発させるエネルギーが必要となり、加熱装置の負荷が上がり、また、液体の水がそのまま存在することによりカビの発生などがおこり望ましくないが、加湿用空気を露点温度以上に保つことによって、そのような問題もなく、高効率で清潔な加湿が実現できる。
【００１７】
第２の発明は、前記冷却手段として、ヒートポンプにおける蒸発器を用い、前記加熱手段としてヒートポンプにおける凝縮器を用いた加湿装置であり、低温で再生を行い、かつ吸湿空気の上流で、冷却手段として蒸発器を通過させることによって低温にできるため、ヒートポンプの低温での再生においても、空気中からの水分回収率を向上させることが可能であり、ヒートポンプによる加熱により、ヒータなどを使用する場合よりも省エネ性に優れている。
【００１８】
第３の発明は、前記冷却手段として、ペルチェ素子の吸熱側部分を用い、前記加熱手段としてペルチェ素子の放熱部分を用いた加湿装置であり、吸熱および放熱をひとつの部材で行うことができ、効率がよい。吸熱部分および放熱部分にフィンを配置することで、放熱および吸熱を行うのが望ましい。
【００１９】
第４の発明は、湿度センサーを前記吸湿風路に備え、前記湿度センサーの出力に基づいて冷却手段による冷却を制御する制御装置を備えた前記の加湿装置であり、冷却手段による冷却により露点温度以下に空気温度が下がらないようにすることができ、吸湿空気が露点以下に下がり、冷却手段に水滴が付着することにより、空気中の水分量が減り、加湿効果が低下することを防ぐことができる。のぞましくは、冷却手段の下流の相対湿度を４０％以上９５％以下にするのが、冷却手段への結露を防ぎながら、水分の回収率を向上させるのに望ましい。もちろん、冷却手段であるため、冷却手段下流の相対湿度は、冷却手段の上流より高くなる。
【００２０】
なお、冷却手段への入力の制御としては、冷却手段の表面温度を決める電力の制御やヒートポンプの冷媒温度や流量の制御、ペルチェ素子の印加電圧の制御などが挙げられる。
【００２１】
第５の発明は、前記吸湿風路の冷却手段の上流に空気清浄フィルタを備えた前記加湿装置であり、冷却手段の汚染による冷却効率の低下を防ぐことができる。また、吸湿フィルタは水分と同時に臭気を吸湿する。そのため、上流で活性炭などの疎水性材料やイオン交換樹脂などで臭気をあらかじめ吸着することによって、吸湿フィルタへの臭気の吸着を防ぐことができ、脱離風路での再生では、水分が脱離することになり、無臭で、清潔な加湿を行うことが可能である。
【００２２】
以下、本発明の実施の形態について、図面を参照しながら説明する。なお、この実施の
形態によって本発明が限定されるものではない。
【００２３】
（実施の形態１）
図１は本発明の第１の実施の形態における加湿装置の概略を示した図である。
【００２４】
図１において、加湿装置１０は４０℃以上の温風作ることができる加熱手段１１としてヒートポンプ１２の凝縮器（熱交換器）を有し、室内空気１３をファンなどの送風手段１４によって加熱手段１１に通過させ、室内送風口１５から室内に供給する。なお、この風路を脱離風路１６とする。
【００２５】
また、加湿装置１０筐体内には、空気の冷却手段１７としてヒートポンプ１２の蒸発器（熱交換器）と、図２に示すような吸湿材料を添着した通風構造でコルゲートハニカム形状の吸湿フィルタ１８を有し、また、室内空気１３を前記冷却手段１７と前記吸湿フィルタ１８に通過させ、その空気を室外に排気するためのファンなどの送風排気手段１９および排気口２０を持ち、吸湿フィルタ１８に室内空気１３を供給し、水分を吸湿させる。この風路が吸湿風路２１である。
【００２６】
そして、上記冷却手段１７の通気下流で、かつ吸湿フィルタ１８の通気上流には、半導体式の湿度計や、乾球湿球測定手段等の湿度センサー２５が設けてあり、この湿度センサー２５の出力に基づいて制御装置２６が冷却手段１７の表面温度をコントロールするように構成してある。
【００２７】
以下に、加湿のメカニズムを示す。吸湿フィルタ１８の全部もしくは一部が吸湿風路２１上に存在し、かつ、送風排気手段１９が動作しているときに、吸い込まれた空気は吸湿フィルタ１８により吸湿され、乾燥した空気が排気口２０より室外に排気される。そして、吸湿フィルタ１８は駆動経路２２をもち、駆動経路２２をギアモータなどの駆動手段２３を用いてスライド移動する。前述の吸湿風路２１で吸湿した吸湿フィルタ１８は前記駆動経路２２を移動し、脱離風路１６上の室内送風口１５まで移動する。その際、送風手段１４によって温風が吸湿フィルタ１８を通過して、それによって吸湿フィルタ１８から水分が脱離し、温風とともに水分を室内に供給する。
【００２８】
室外の湿度が低い場合は自然換気によって室内に供給される空気が乾燥するため、室内の湿った空気が室外に逃げてしまい、室内の水分が減少して室内は乾燥する。一方、加湿装置１０があることにより、室内から排気される空気は水分を取り除かれ、水分が室内に戻されるため、乾燥した空気が自然換気等によって供給されても、室内は、加湿装置がない場合に比べ乾燥しにくい、もしくは加湿される。
【００２９】
ここで、この加湿装置１０は加熱手段１１としてヒートポンプ１２の熱交換器を使用しているため吸湿フィルタ１８から水分を脱離させる空気温度が従来のものに比べ低いが、吸湿風路２１での吸湿時に吸湿用空気を冷却手段１７で冷却しているので、十分な加湿が可能となる。すなわち吸湿用空気と脱離用空気の温度差が少ないと脱離時に十分な水分脱離ができないのであるが、脱離空気の温度が低い分冷却手段１７で吸湿用空気の温度を低下させているので、両者の温度差は十分に大きなものとなり、換言すると吸湿フィルタ１８を通過する吸湿空気としての室内空気１３をあらかじめ冷却手段１７によって冷却し、吸湿空気の比エンタルピーを低下させることになり、脱離空気の温度が低くても十分な加湿が可能となる。そしてこの加湿装置１０では冷却手段１７で冷却した吸湿用空気の温度が露点温度以上となるように設定してあり、加湿用空気中の水分が当該冷却手段１７で結露して水分低下することがなく、より効率的な吸湿ができて加湿能力を確保できる。
【００３０】
上記脱離用空気の温度が低くても十分な加湿ができることについて更に少し説明を加え
ると、以下の通りである。
【００３１】
すなわち、再生温度が比較的低い場合には飽和水蒸気圧が低いために、同じ水分量であっても相対湿度が比較的高くなる。吸湿剤が温度依存性を持たず相対湿度に依存する材料であると、相対湿度が高い状態で再生する場合、材料は完全に乾燥した状態には到達しない。そのため、吸湿後の空気において、再生空気における相対湿度以下の乾燥空気を得ることはできない。
【００３２】
そのため、吸湿後の空気温度において同じ相対湿度まで低下すると仮定すると、吸湿後の空気温度が低いほうが前記吸湿後の空気に含まれる水分量は少なくなる。つまり、吸湿フィルタ上流より同じ水分量の空気が流れるのであれば、吸湿後の空気温度が低温でかつ下がりうる最低の相対湿度まで低下するほうが、吸湿フィルタにより多くの水分が回収される。
【００３３】
以上のことから、吸湿する空気を吸湿フィルタの上流で冷却手段により冷却することによって、被吸湿空気の比エンタルピーが低下し、吸湿時の吸着熱による温度上昇が抑えられる。そのため、相対湿度が低湿度まで下がらなくても、吸着熱で上昇した空気温度が低い分、空気の絶対湿度が低下する。つまり、吸湿フィルタへの吸湿量が増える。そのため、吸湿フィルタの通過水分に対する回収率が向上し、加湿装置の性能及び効率が向上する。
【００３４】
加えてこの実施の形態では、冷却手段１７の通気下流で、かつ吸湿フィルタ１８の通気上流に、半導体式の湿度計や、乾球湿球測定手段により湿度を算出するなどの湿度センサー２５を設け、この湿度センサー２５からの出力に基づいて冷却手段１７の表面温度をコントロールする制御装置２６を備えた構成してあるから、例えば冷却手段１７通過後の空気湿度が１００％になるように制御することができる。よって、冷却手段１７に結露することによって生じる、冷却手段１７上でのカビ等の発生や、空気中に含まれる水分の減少による加湿装置１０の加湿量の減少といった問題を防止することができる。
【００３５】
なお、上記冷却手段１７通過後の湿度は４０％以上で、また結露しない観点から９５％以下が望ましい。また冷却手段１７の表面温度のコントロール法として、ヒートポンプ１２における冷媒の流量や冷媒の温度を制御する方法がある。
【００３６】
また、加熱手段１１としてヒートポンプ１２の熱交換器を使用することによって、ニクロム線などのヒータを使用する場合より低温な空気しか得られないが、エネルギー効率が高く、加湿装置１０の省エネルギー化ができる利点がある。
【００３７】
なお、加湿装置１０に供給される空気はかならずしも室内空気でなくともよく、その一部もしくはすべてを室外から供給するものであってもよい。
【００３８】
また、この加湿装置１０は、吸湿風路２１の最上流に、活性炭フィルタや不織布をプリーツ状に折りたたんだ集塵フィルタ、静電フィルタなどの空気清浄フィルタ２４を設けているから、冷却手段１７の汚染や吸湿フィルタ１８への埃や臭いの吸着、濃縮が起こりにくくなり、脱離風路１６では水分のみが吸湿フィルタ１８より脱離し、加湿空気の清浄度が上がる。
【００３９】
なお、ヒートポンプ１２における、冷媒の流量は、凝縮器と蒸発器で同じでなくともよく、冷媒の一部を流す構造でたとえば、複数の蒸発器があり、一部の蒸発器が冷却手段１７として用いられるように流れるよう流量弁を有した構造であってよい。
【００４０】
（実施の形態２）
実施の形態１では冷却手段１７と加熱手段１１にそれぞれヒートポンプ１２の蒸発器と凝縮器を用いたが、図３に示すようにペルチェ素子２７の吸熱側を冷却手段２８に、そして放熱側を加熱手段２９として用いてもよく、それぞれに伝熱性を有するフィンなどの放熱部を設けることで冷却した空気、加熱した空気が得られる。冷却と放熱をひとつの装置で行うことができ、エネルギーを有効に利用できるのでよい。
【００４１】
本発明では、冷却と加熱を同時に行う装置としてヒートポンプとペルチェ素子をあげたが、それ以外の冷却と加熱とを同時に行う手段であればどのようなものであってもよい。
【００４２】
（実施の形態３）
実施の形態１では吸湿フィルタ１８を吸湿風路２１と脱離風路１６を交互に入れ替えることで、室内の水分を吸湿して乾燥した空気を排気し、また、加熱手段１２の温風によって水分を脱離して室内に水分を放出したが、これを図４に示すようにロータ型吸湿フィルタ３０としてもよい。
【００４３】
ギアモータなどの回転手段３１を用いて、ロータ型吸湿フィルタ３０を回転させ、吸湿風路２１と脱離風路１６とに交互に入れ替えることができる。そのため実施の形態１で示した駆動経路２２が必要なくなり、部品点数を少なくでき、安価に製造することができる。
【００４４】
なお、上記各実施の形態では、冷却手段として、ヒートポンプ熱交換器のような機械的冷却手段を例にして説明したが、例えば壁面の輻射冷却を利用し、壁面もしくは壁面近くに設けたフィンなどの熱交換器を冷却手段として、壁面の輻射冷却によって冷やし、これを吸湿風路に導入するなどしてもよい。
【実施例】
【００４５】
７０ｍｍ角、１０ｍｍ厚みのセラミックハニカムをメソポーラスシリカとコロイダルシリカの分散液に含浸し、余剰液を吹き落とした後に１８０℃にて乾燥し、メソポーラスシリカハニカムを作成する。なお、セラミックハニカムはガラス繊維やセラミック繊維をコルゲートハニカム形状に加工したものである。
【００４６】
乾燥したメソポーラスシリカハニカムを、塩化カルシウム水溶液に含浸し、余剰液を吹き落とした後に、１８０℃にて乾燥し、メソポーラスシリカ‐塩化カルシウムハニカムの吸湿フィルタを作成した。
【００４７】
また、セラミックハニカムにゼオライトを添着したゼオライトハニカムを作成し、塩化カルシウムなど潮解性物質は添着せず同様に実験した。
こうして得られた試料を下記の実験方法によって、評価した。以下、実験方法を説明する。
【００４８】
（１）２０℃４０％に調整した恒温恒湿槽（ＥＳＰＥＣ製ＰＬ−３ＫＰ、以下同じ）から、４０℃に加熱したオーブン内に空気を供給し、絶対湿度が２０℃４０％の空気と同じ状態の４０℃空気を作成し、前記オーブン内で吸湿フィルタを重量が安定するまで乾燥させ、重量を記録する。
【００４９】
（２）その後、２０℃４０％に調整した前記恒温恒湿槽内で、吸湿フィルタに３３Ｌ／分の風量で１２０秒間送風し、水分を吸湿させ、重量を測定し、（１）の重量との差より、吸湿した水分量を算出する。
【００５０】
（３）一方で、２０℃４０％の空気の絶対湿度と通過風量から当該空気に含まれる全水分量、すなわち試料を通過した全水分量を算出する。
【００５１】
（４）（２）の吸湿フィルタの吸湿量を（３）の通過した全水分量で除して、水分回収率として評価する。
【００５２】
（５）同様に、１０℃７６％（２０℃４０％の絶対湿度と同じ）に恒温恒湿槽を調整し（１）から（４）を行う。
【００５３】
以上の試験結果を表１に示す。
【００５４】
【表１】
2011196562.tif 000003
【００５５】
メソポーラスシリカ‐塩化カルシウムハニカム吸湿フィルタおよびゼオライトハニカムともに、再生温湿度が同じで、かつ吸湿空気の絶対湿度が同じであっても、温度を下げることにより、水分回収量および水分回収率が向上することがわかり、吸湿空気を冷却することにより高効率に水分を回収できることが証明された。
【産業上の利用可能性】
【００５６】
以上のように、本発明は比較的低い温度で水分を吸湿フィルタより脱離させながら、高効率で水分を回収することができるので、省エネで高効率な加湿が可能となり、例えば温風供給時に温風供給用熱源を利用するなどして室内に加湿された空気を供給することが可能となり、調湿を行うことにより居室の快適度を向上させ、乾燥による住居の劣化、空気中のウイルスの繁殖を抑えることがでる。また、居室だけでなく特定の庫内、特に、低温を維持したい場合の加湿として優れており、冷蔵庫や乾燥庫、選択乾燥機、ワインセラーなどの湿度制御を実現することができる。
【符号の説明】
【００５７】
１  吸湿フィルタ
２  室内空気
３  第一送風機
４  室外送風口
５  再生用ヒータ
６  第二送風機
７  室内送風口
８  加湿装置
９  回転手段
１０  加湿装置
１１  加熱手段
１２  ヒートポンプ
１３  室内空気
１４  送風手段
１５  室内送風口
１６  脱離風路
１７  冷却手段
１８  吸湿フィルタ
１９  送風排気手段
２０  排気口
２１  吸湿風路
２２  駆動経路
２３  駆動手段
２４  空気清浄フィルタ
２５  湿度センサー
２６  制御装置
２７  ペルチェ素子
２８  冷却手段
２９  加熱手段
３０  ロータ型吸湿フィルタ
３１  回転手段
【図１】
2011196562.tif 000004
【図２】
2011196562.tif 000005
【図３】
2011196562.tif 000006
【図４】
2011196562.tif 000007
【図５】
2011196562.tif 000008